(57)【要約】【課題】容器体を不透明とした、液体等噴出機構付き容器において、収納液体等減少につれて上昇する摺動底板の位置が見えなくても、収納液体等の残量を知ることが出来るよう設けた。【解決手段】容器体の下部外面へ、下蓋底壁22外周から第１周壁23を起立する下蓋21を、下蓋底壁22と容器体底面を形成する容器下端板６との間へ圧縮スプリングを介在させて嵌合させ、液体減少で容器体重量が軽量化するに従って圧縮スプリングが下蓋21内から容器体１を押上げし、該容器体が押上げられた距離を計測して容器体内液体等の残量を推定可能とした。【選択図】図１
2007062821.tif 000002
【特許請求の範囲】
【請求項１】
液体等噴出機構付きの不透明な容器体１底部の下部外面へ、下蓋底壁22外周から第１周壁23を起立する下蓋21を、下蓋底壁22と容器下端板６との間に容器体上方付勢用圧縮スプリングを介在させて容器体の上昇が可能に嵌合させ、収納液体等減少による容器体重量の軽減で上記圧縮スプリングが、下蓋21に対して容器体１を押上げた距離を計測して、容器体内液体等の残量を推定可能とした
ことを特徴とする液体等噴出機構付き容器。
【請求項２】
上記液体等噴出機構を液体吸上げ用ポンプ11で形成し、又容器体胴部の下部内に、容器体内負圧化を上方摺動して解消する摺動底板15を設け、更に容器体１下端面を外気と吸入孔５付きの容器下端板６で閉塞した
ことを特徴とする、請求項１記載の液体等噴出機構付き容器。
【請求項３】
上記容器下端板６外周から起立させた第２外周壁７を容器体胴部２の下部外面へ嵌合させ、該第２外周壁７と該第２外周壁上方の胴部部分外面へ、第１周壁23を摺動可能に嵌合させ、該第１周壁の上端内面へ付設した突条26下面へ、底板15が上限まで上昇したとき第２外周壁７上端面が係合ないし近接可能に形成した
ことを特徴とする、請求項２記載の液体等噴出機構付き容器。
【請求項４】
第１周壁23に第２周壁７の位置確認用窓27を穿設した
ことを特徴とする、請求項３記載の液体等噴出機構付き容器。
【請求項５】
容器下端板６下面と下蓋底壁22上面とから、第１、第２支持短筒９、24を突出させて、これ等両筒の内面ないし外面へ、容器体上方付勢用コイルスプリング25を遊嵌させ、容器下端板６が下限に位置するとき、それ等両筒の先端面が突合せ状態で当接可能に形成した  ことを特徴とする、請求項２、３又は４記載の液体等噴出機構付き容器。
【発明の詳細な説明】
【技術分野】
【０００１】
本発明は、液体等噴出機構付き容器に関する。
【背景技術】
【０００２】
容器体上部に液体吸上げ用ポンプを有し、かつ容器体胴部の下部内に容器体内負圧化を上方摺動して解消する底板を有する液体噴出機構付き容器において、紫外線等からの保護目的により容器体を不透明として収納液を保護することが行われており、このような容器にあっては、容器体内液体が減少して底板が容器体上部内へ上昇してもその底板の位置が不明確であり、よって上記ポンプを操作しても容器体内収納液が噴出できなくなって始めて収納液体が無くなったことに気付くことがある。
【０００３】
そのような欠点を除去するために上記底板が上昇すると、該底板に連結されている帯状表示板が容器体胴部と該胴部外面へ嵌合された外筒との間を下降して収納液体の減少を知ることが出来るよう設けた液体噴出容器が知られている（特許文献１）。
【特許文献１】特開２００２−３６２６５９号公報
【発明の開示】
【発明が解決しようとする課題】
【０００４】
本発明容器は上記従来容器と同様に容器体内液体の減少を、該容器体内液体が無くなるに先だって知ることが可能に形成したものであり、上記従来容器よりも構造が簡易でかつ容器体内の液体減少を確実に知ることが出来るよう設けたものである。
【課題を解決するための手段】
【０００５】
第１の手段として液体等噴出機構付きの不透明な容器体１底部の下部外面へ、下蓋底壁22外周から第１周壁23を起立する下蓋21を、下蓋底壁22と容器下端板６との間に容器体上方付勢用圧縮スプリングを介在させて容器体の上昇が可能に嵌合させ、収納液体減少による容器体重量の軽減で上記圧縮スプリングが、下蓋21に対して容器体１を押上げた距離を計測して、容器体内液体等の残量を推定可能とした。
【０００６】
第２の手段として、上記第１の手段を有すると共に上記液体等噴出機構を液体吸上げ用ポンプ11で形成し、又容器体胴部の下部内に、容器体内負圧化を上方摺動して解消する摺動底板15を設け、更に容器体１下端面を外気と吸入孔５付きの容器下端板６で閉塞した。
【０００７】
第３の手段として、上記第２の手段を有すると共に上記容器下端板６外周から起立させた第２外周壁７を容器体胴部２の下部外面へ嵌合させ、該第２外周壁７と該第２外周壁上方の胴部部分外面へ、第１周壁23を摺動可能に嵌合させ、該第１周壁の上端内面へ付設した突条26下面へ、底板15が上限まで上昇したとき第２外周壁７上端面が係合ないし近接可能に形成した。
【０００８】
第４の手段として、上記第３の手段を有すると共に第１周壁23に第２周壁７の位置確認用窓27を穿設した。
【０００９】
第５の手段として上記第１、第２、第３、又は第４の手段を有すると共に容器下端板６下面と下蓋底壁22上面とから、第１、第２支持短筒９、24を突出させて、これ等両筒の内面ないし外面へ、容器体上方付勢用コイルスプリング25を遊嵌させ、容器下端板６が下限に位置するとき、それ等両筒の先端面が突合せ状態で当接可能に形成した。
【発明の効果】
【００１０】
請求項１記載のようにすることで、通常容器を手にとり、その軽量を測らなければ収納液体残量を知ることが出来ないが、本発明にあっては台上等に置かれた状態で、下蓋21から押上げられた容器体の高さを見ることで、容器内の残量を知ることが出来る。
【００１１】
請求項２記載のようにすることで、例えば容器体１内液体等を全く使用していない状態で、下蓋21の第１周壁23上端よりも下方に位置して第１周壁23で隠されている容器体胴部２の下方部分外面へ着色ないし目盛り等を付しておくことで、下蓋21から容器体が上方へ押上げられた距離を正確に計測でき、従って容器体内液体等が無くなる時期を確実に予測することが出来る。
【００１２】
請求項３のようにすることで、容器体下部から下蓋21が外れることがない。
【００１３】
請求項４のようにすることで、その窓内への第２周壁７の上昇量を測ることが容易となる。
【００１４】
請求項５のようにすることで、第１、第２支持短筒９、24に対してコイルスプリング25が摺動することがなく、又該コイルスプリングが伸長してもその中心軸線が弧状等に変形することがない。
【発明を実施するための最良の形態】
【００１５】
以下図面について説明すると、１は不透明とした容器体で、胴部２上端から肩部３を介して口頸部４を起立する。その容器体の下端面は、外気吸入孔５付きの容器下端板６で閉塞させている。該容器下端板は図示例ではその外周から第２周壁７と内周壁８とを起立させ、それ等両周壁間に容器体胴部２の下端部を抜出し不能に嵌合させているが第２周壁７は必ずしも必要としない。又容器下端板６下面からは、第１支持短筒９を垂下し、上面からは後述摺動底板用の支持筒10を起立している。
【００１６】
容器体１上部へは、容器体内へ収納させる液体吸上げ用のポンプ11を装着させている。該ポンプは、ヘッド12を付勢に抗して押下げ、又その付勢より弾性復帰可能に形成し、その上下動により容器体内液体をシリンダ13内へ吸込みし、又ヘッドに設けたノズル14から噴出可能としたものであり、このようなポンプは図示例に限らず多数公知であるから、適宜選択して容器体上部へ装着させればよい。
【００１７】
容器体１の下部内へは、上記ポンプ操作による容器体内液体吸上げによる胴部内負圧化を胴部内上昇によって解消する摺動底板15を設けている。該摺動底板も公知であり、種々の形状とすることが出来る。図示例では該摺動底板が下限に位置する状態でその下面を支持筒10が支持する。
【００１８】
容器体の下部外面へは、下蓋底壁22外周から第１周壁23を起立する下蓋21を嵌合させる。該下蓋はその下蓋底壁22から、既述第１支持短筒９の下端面へ上端面を当接させて支持する第２支持短筒24を起立し、それ等両支持短筒の内面又は外面へ容器体上方付勢用のコイルスプリング25を装着させている。該スプリングは容器体１を上方付勢するもので、容器体内液体がポンプ操作による液体噴出でその重量を減少するに従って下蓋21から次第に高く押上げられるよう設けたものである。
【００１９】
第１周壁23は、第２周壁７よりも上方まで高く起立させており、第１周壁23の上端内面へは、突条26を周設させており、又該突条よりも下方の第１周壁上方部分には窓27を穿設している。突条26は、容器体内液体がほぼ無くなって、軽量化し、そのためコイルスプリングが上限まで容器体１を押上げたとき、第２周壁７上端面が突条26下面へ係合ないし近接するよう設けたものであり、又このとき、窓27を通して見える第２周壁７上端の位置によって容器体内液体の残量を知ることが出来る。
【００２０】
下蓋21に対する容器体上昇高さを測定するためには、容器体が下限まで下降する状態において、例えば第１周壁23内に隠されている、容器体胴部の下方部分外面に着色又は目盛り等を設けておき、軽量化による容器体上昇で上記着色ないし目盛り等が第１周壁上方へ露出するよう設けてもよい。
【００２１】
既述コイルスプリング25は、容器の下端板６と下蓋底壁22との間に介在させるから容器体胴部２を持って容器を持ち上げた状態では、容器体内液体量とは無関係に下蓋21は下方へ押下げられることとなるから、容器体内液体量計測のためには、下蓋21を台上等へ載置するか、又は下蓋21の第１周壁23を持って容器体を垂直に起立させることが必要であり、下蓋を持って容器を起立させるためには、第１周壁23の上下方向長さを、その把持に便利な長さとすることが望ましい。
【００２２】
図４は第２実施形態を示す。該実施形態は従来周知のエアゾール缶を容器体１としたもので周知であるからその説明は省略する。胴部２の下端外周には突条31を周設している。      
【００２３】
下蓋底壁22はエアゾール缶の下端外径よりも大外径とし、かつその外周から、下端部を上内方へ弯曲させてエアゾール缶胴部２の外面へ摺動可能に嵌合させる第１周壁23を起立させ、その上部を小内径部32とし、又その小内径部下方部分に複数の窓27を穿設している。又下蓋底壁22からは第２支持短筒24を起立させ、該第２支持短筒へ下端部を遊嵌させてコイルスプリング25を起立させ、該コイルスプリング上端をエアゾール缶の下端板６下面へ圧接させている。
【００２４】
該実施形態にあっては収納液体等残量が少なくなったとき、胴部下端外周の突条31が上記小内径部32下端面へ係合してエアゾール缶は、その軽量化による上昇を停止し、又このとき胴部下端の突条31外面を窓27から見えるよう設けている。その突条外面へ収納液体等減少を知らせる特別の着色を施しておくことが望まれる。
【００２５】
図５は第２実施形態の変形例で、第２実施形態における小内径部32に代えてその第１周壁23上端よりも下方内面に係合突条33を周設し、該係合突条33下面へ胴部下端の突条が係合したとき収納液体等の残量が少なくなったとき、係合突条33下面へ胴部下端の突条31が係合してエアゾール缶の上昇を停止させ、又係合突条33上方の第１周壁部分に穿設した窓27から、胴部２の下端部に付着させた着色部34が見えるよう設けている。
【００２６】
尚既述下蓋底壁22の大外径化は、容器体が倒れないよう接地面積を大きくするためのものである。
【図面の簡単な説明】
【００２７】
【図１】容器体内に液体が充満する状態で示す本発明容器の縦断面図である。
【図２】容器体内液体がほぼ半減した状態を示す図１容器の縦断面図である。
【図３】容器体内液体が無くなった状態で示す図１容器の縦断面図である。
【図４】第２実施形態で示す容器の縦断面図である。
【図５】図４の変形例を示す。要部拡大断面図である。
【符号の説明】
【００２８】
１    容器体              ２    胴部
６    容器下端板          ７    第２周壁
９    第１支持短筒        10    支持筒  
11    ポンプ              15    摺動底板
21    下蓋                22    下蓋底壁                
23    第１周壁            24    第２支持短筒
25    コイルスプリング    26    突条
27    窓                  31    突条
32    小内径部            33    係合突条
34    着色部  
【図１】
2007062821.tif 000003
【図２】
2007062821.tif 000004
【図３】
2007062821.tif 000005
【図４】
2007062821.tif 000006
【図５】
2007062821.tif 000007